(57)【特許請求の範囲】
【請求項１】
リミットスイッチ本体（１）の内部にマイクロスイッチ（２）を固定し、そのリミットスイッチ本体（１）の一端にコネクタ（１６）を設け、そのコネクタ（１６）にケーブルコネクタ（１５）を介しケーブル（１０）を接続してマイクロスイッチ（２）と外部機器とを接続しているリミットスイッチにおいて、アクチュエータ（６）をリミットスイッチ本体（１）に取り付け、そのアクチュエータ（６）により作動片（９）を介して前記マイクロスイッチ（２）を作動しており、前記ケーブル（１０）は他端が外部エア源に接続され本体内部（１ｃ）に連通して空気圧を付加するエアチューブ（１３）を中心に配設し、その周囲に前記マイクロスイッチ（２）に接続した複数の電線（１１）を配し、それらの電線（１１）の外周を耐油被覆（１２）で覆って構成していることを特徴とするリミットスイッチの構造。
【請求項２】
リミットスイッチ本体（１）の内部にマイクロスイッチ（２）を固定し、そのリミットスイッチ本体（１）の一端にコネクタ（１６）を設け、そのコネクタ（１６）にケーブルコネクタ（１５）を介しケーブル（２０）を接続してマイクロスイッチ（２）と外部機器とを接続しているリミットスイッチにおいて、アクチュエータ（６）をリミットスイッチ本体（１）に取り付け、そのアクチュエータ（６）により作動片（９）を介して前記マイクロスイッチ（２）を作動しており、前記ケーブル（２０）は前記マイクロスイッチ（２）に接続された複数の電線（１１）を束ね、かつ他端が外部エア源に接続され本体内部１ｃに連通して空気圧を付加するエアチューブ（２３）をその側部に添って設け、それらの外周囲を耐油被覆（２２）で覆って形成されており、前記エアチューブ（２３）はケーブル（２０）から分岐し、リミットスイッチ本体（１）側面に設けられたコネクタ（２４）を介して本体内部（１ｃ）に連通していることを特徴とするリミットスイッチの構造。
【発明の詳細な説明】
【０００１】
【発明の属する技術分野】
本発明は、リミットスイッチ本体に接続する配線用ケーブルと、リミットスイッチの構造に関する。
【０００２】
【従来の技術】
マイクロスイッチを内蔵し、例えば、そのマイクロスイッチを作動するアクチュエータヘッドが取り付けられたリミットスイッチ本体にケーブルを配線してアクチュエータの作動によりマイクロスイッチをオン・オフしてケーブルに接続されている機器を制御する技術は知られている。
【０００３】
ここで、リミットスイッチ本体とアクチュエータヘッドとの取付部や、配線の接続部、或いはカバー部等は、水や埃等が侵入することに対してはシールされてはいる。
【０００４】
しかし、経年変化によりシールが劣化した後に油や水等がかかった場合や、シール自体はそれほど劣化していなくても長期間経過した場合等では、上述したシール部やねじ部等から、油や水等が徐々にリミットスイッチ本体内部に侵入し、その油や水等によってスイッチの誤作動が発生する等の不具合が生じる。
【０００５】
実開平６−８４６３６号公報、特開平６−２７５１４１号公報、実開平６−３１０２８号公報及び実開平５−８７７４８号公報等の技術が開示されているが、何れも上述した様な油や水等の侵入という課題の解決に関するものでない。
【０００６】
【発明が解決しようとする課題】
本発明は上述した様な従来技術における問題点に鑑みて提案されたもので、リミットスイッチ本体に油や水がかかっても内部に侵入しない配線用ケーブル及びリミットスイッチの構造を提供することを目的としている。
【０００７】
【課題を解決するための手段】
本発明によるマイクロスイッチの構造は、リミットスイッチ本体（１）の内部にマイクロスイッチ（２）を固定し、そのリミットスイッチ本体（１）の一端にコネクタ（１６）を設け、そのコネクタ（１６）にケーブルコネクタ（１５）を介しケーブル（１０）を接続してマイクロスイッチ（２）と外部機器（図示なし）とを接続しているリミットスイッチにおいて、アクチュエータ（６）をリミットスイッチ本体（１）に取り付け、そのアクチュエータ（６）により作動片（９）を介して前記マイクロスイッチ（２）を作動しており、前記ケーブル（１０）は他端が外部エア源（図示なし）に接続され本体内部（１ｃ）に連通して空気圧を付加するエアチューブ（１３）を中心に配設し、その周囲に前記マイクロスイッチ（２）に接続した複数の電線（１１）を配し、それらの電線（１１）の外周を耐油被覆（１２）で覆って構成している。
【０００８】
また、図４に示されているように、本発明のリミットスイッチの構造は、リミットスイッチ本体（１）の内部にマイクロスイッチ（２）を固定し、そのリミットスイッチ本体（１）の一端にコネクタ（１６）を設け、そのコネクタ（１６）にケーブルコネクタ（１５）を介しケーブル（２０）を接続してマイクロスイッチ（２）と外部機器（図示なし）とを接続しているリミットスイッチにおいて、アクチュエータ（６）をリミットスイッチ本体（１）に取り付け、そのアクチュエータ（６）により作動片（９）を介して前記マイクロスイッチ（２）を作動しており、前記ケーブル（２０）は前記マイクロスイッチ（２）に接続された複数の電線（１１）を束ね、かつ他端が外部エア源（図示なし）に接続され本体内部１ｃに連通して空気圧を付加するエアチューブ（２３）をその側部に添って設け、それらの外周囲を耐油被覆（２２）で覆って形成されており、前記エアチューブ（２３）はケーブル（２０）から分岐し、リミットスイッチ本体（１）側面に設けられたコネクタ（２４）を介して本体内部（１ｃ）に連通している。
【００１１】
かかる構成を具備する本発明によれば、空気回路を介してエア源から付加された空気圧により、リミットスイッチの本体内部は常時加圧されているので、ガスケットやシール等が経年変化を生じたり劣化した場合でも、リミットスイッチの本体内部は外部より圧力が高いため、油、水等が侵入しない。そのため、油や水等の侵入に起因する誤作動が完全に防止される。
【００１２】
本発明において、配線用ケーブルを中心に設けられた空気回路と、その周囲に設けられた４群１２本の電線により構成すれば、ケーブルの捩じれに起因する各種不都合を解消出来ると共に、電線の断線にも対処することが出来る。
【００１３】
【発明の実施の形態】
以下、図面を参照して、本発明の実施の形態を説明する。
図１において、リミットスイッチ本体１の内部にはマイクロスイッチ２が固定されており、リミットスイッチ本体１にはカバー３がビス４で固定されている。また、リミットスイッチ本体１にはアクチュエータ６のヘッド６ａがガスケット８を介してビス７で取り付けられており、ヘッド６ａに内蔵された作動片９が本体１に設けられた孔１ａからマイクロスイッチ２のロッド２ａをプッシュするよう構成されている。なお、符号５は溝を示している。
【００１４】
そして、リミットスイッチ本体１に設けられた従来公知のコネクタ１６には公知のケーブルコネクタ１５によりケーブル１０が接続されており、そのケーブル１０は、図２を参照して、中心部に空気回路であるエアチューブ１３（例えば内径４ｍｍ、外径６ｍｍ）が設けられ、その周囲に紙或はビニール等で被覆して電線１１（図示の例はａ、ｂ、ｃ、ｄ４群、各群３本の１２本で構成）を配置し、その外周は耐油被覆１２で覆われている。
【００１５】
そして、その電線１２ａと１２ｂの一端がマイクロスイッチ２にそれぞれ接続され他端は図示しない機器、例えば電磁クラッチに接続され、エアチューブ１３は本体１に設けられた孔１ｂに挿入され本体１の内部１ｃに図示しないエア源から空気圧がかけられるよう構成されている。
【００１６】
したがって、本体内部１ｃはエア源から付加された空気圧により、例えば０．１気圧に、常時加圧されているので、油や水がヘッド６ａの接続部やケーブル１０のコネクタ１５、１６にかかり、ガスケット、シール等が経年変化で劣化していても、本体内部１ｃは外部より圧力が高いため油、水等が侵入することがなく、これが原因で誤作動することはない。
【００１７】
図３は、本発明の別の実施形態を示し、従来のケーブル２０とエアチューブ２３とを同じ被覆２２で断面ダルマ状に形成したものであり、図４に示すようにリミットスイッチ本体１のカバー３にエアコネクタ２４を取り付ければ、従来のものが利用できる利点がある。
【００１９】
【発明の効果】
本発明は上記のように構成されており、シール材の劣化や経時的な変化に起因して、油や水等がリミットスイッチ内に侵入し誤作動することが防止される。そして、スイッチの寿命延長にも寄与することが出来る。また、簡単な改造により既存設備にも対応出来るので利用範囲が大である。
【図面の簡単な説明】
【図１】本発明の一実施形態を示す全体構成図。
【図２】図１のケーブルの断面図。
【図３】本発明の別の実施形態を示すケーブルの断面図。
【図４】図３のケーブルを使用するリミットスイッチを示す図。
【符号の説明】
１・・・リミットスイッチ本体
２・・・マイクロスイッチ
３・・・カバー
６・・・アクチュエータ
６ａ・・・ヘッド
１０・・・ケーブル
１１・・・電線
１２、２２・・・被覆
１３、２３・・・エアチューブ
１５、１６、２４・・・コネクタ
【図１】
0003642504.tif 000002
【図２】
0003642504.tif 000003
【図３】
0003642504.tif 000004
【図４】
0003642504.tif 000005